(57)【要約】      （修正有）【課題】コンパクトで取扱いやすく、シャンプー等の施術に支障をきたさない後頭部支持補助具の提供。【解決手段】シャンプーボールの内壁に取り付ける後頭部支持補助具１０であって、ベース部２０と枕部３１と吸着部２２ａ、２２ｂとを備え、ベース部は、略水平方向に突出した複数の脚部２１ａ、２２ｂを有し、吸着部は、脚部２１ａ、２１ｂに、垂直方向又は／及び水平方向に回動自在に取り付けてあり、枕部は、ベース部から上方に立設してある。【選択図】図１
0003120306.tif 000002
【実用新案登録請求の範囲】
【請求項１】
シャンプーボールの内壁に取り付ける後頭部支持補助具であって、
ベース部と枕部と吸着部とを備え、
ベース部は、略水平方向に突出した複数の脚部を有し、
吸着部は、脚部に、垂直方向又は／及び水平方向に回動自在に取り付けてあり、
枕部は、ベース部から上方に立設してあることを特徴とする後頭部支持補助具。
【請求項２】
シャンプーボールの内壁に取り付ける後頭部支持補助具であって、
ベース部と枕部と吸着部とを備え、
ベース部は、垂直軸を有する略水平に配置した２本の脚部と、水平軸を有する１本の脚部とをそれぞれシャンプーボールの内壁方向に突出して有し、
吸着部は、脚部の垂直軸及び水平軸に回動自在に取り付けてあり、
枕部は、ベース部から上方に立設してあることを特徴とする後頭部支持補助具。
【請求項３】
枕部は、ベース部からの立設角度を調整する立設角度調整手段を有していることを特徴とする請求項１又は２に記載の後頭部支持補助具。
【請求項４】
ベース部の上部は、凹部形状に切り欠いてあることを特徴とする請求項１〜３のいずれかに記載の後頭部支持補助具。
【考案の詳細な説明】
【技術分野】
【０００１】
本考案は、理容室及び美容室等におけるシャンプーボールに取り付ける補助具に関し、特に後頭部を支持し、シャンプー施術中における頚椎の圧迫を防止する後頭部支持補助具に係る。
【背景技術】
【０００２】
図３にシャンプーボール４０の斜視図を示すように従来から理容室及び美容室等では、多くの場合仰向けになりシャンプーボール４０の首載置部４１に首を載せて洗髪している。
しかし、頭部重量を支持する首には負担が掛かり、頚椎を圧迫し美容室脳卒中症候群等を引き起こす問題がある。
【０００３】
特許文献１及び２には、後頭部の枕部に高さ調整できる脚部を設けたものや、この脚部に吸盤を取り付けた後頭部補助具を開示する。
しかし、これらは脚部等をシャンプーボールの底部に固定するものであり、サイズが大きいだけでなく、この脚部が洗髪等の施術に支障をきたすものであった。
【０００４】
【特許文献１】特開平１１−２８５４１４号公報
【特許文献２】特開２００２−３３６０３２号公報
【考案の開示】
【考案が解決しようとする課題】
【０００５】
本考案は上記技術的課題に鑑みて、コンパクトで取扱いやすく、シャンプー等の施術に支障をきたさない後頭部支持補助具の提供を目的とする。
【課題を解決するための手段】
【０００６】
請求項１記載の考案は、シャンプーボールの内壁に取り付ける後頭部支持補助具であって、ベース部と枕部と吸着部とを備え、ベース部は、略水平方向に突出した複数の脚部を有し、吸着部は、脚部に、垂直方向又は／及び水平方向に回動自在に取り付けてあり、枕部は、ベース部から上方に立設してあることを特徴とする。
【０００７】
ここで、ベース部はシャンプーボールの首を入れる側の内側壁面に取り付ける部分であり、本明細書にては、本考案に係る後頭部支持補助具の使用状態にて垂直方向、水平方向を定義する。
ベース部から略水平方向に突出した脚部を複数設けたのは、複数の脚部にて後頭部支持補助具をシャンプーボールの内側壁面に取り付ける趣旨である。
この場合に、シャンプーボールの内側壁面の形状は、各シャンプーボールにて異なるが、複数の脚部に水平方向又は／及び垂直方向に回動自在に、吸盤等の吸着部を取り付けたので、市販されている各種シャンプーボールの形状にフィットする。
【０００８】
請求項２記載の考案は、シャンプーボールの内壁に取り付ける後頭部支持補助具であって、ベース部と枕部と吸着部とを備え、ベース部は、垂直軸を有する略水平に配置した２本の脚部と、水平軸を有する１本の脚部とをそれぞれシャンプーボールの内壁方向に突出して有し、吸着部は、脚部の垂直軸及び水平軸に回動自在に取り付けてあり、枕部は、ベース部から上方に立設してあることを特徴とする。
請求項２は、脚部が少なくとも３本あればシャンプーボールの内壁に安定して固定できる観点から好ましい構成を示したものである。
なお、垂直軸は、おおむね垂直方向に回動する軸部をいい、水平軸は、おおむね水平方向に回動する軸部をいう。
【０００９】
本考案においては、枕部はベース部からの立設角度を調整する立設角度調整手段を有しているのが好ましく、ベース部の上部は凹部形状に切り欠いて、シャンプーボールの首入れ部の形状に合わせてあるのが望ましい。
【考案の効果】
【００１０】
本考案においては、ベース部から略水平方向に突出形成した複数の脚部に、垂直軸回動自在又は／及び水平軸回動自在の吸着部を設けたので、市販の各種シャンプーボールに容易に固定できる。
また、シャンプーボールの内側の立上がり壁面に取り付けることができ、コンパクトなのでシャンプー等の施術作業に支障をきたすことはない。
また、枕部はベース部からの立上げ角度が調整できるようになっているので、シャンプーボールの形状や被施術者に合わせて後頭部を受ける位置の調整が容易である。
さらには、ベース部の上部を凹部形状に切り欠いてあるので、シャンプーボールの内入部の凹部に合致し、よりコンパクトな大きさになる。
【考案を実施するための最良の形態】
【００１１】
本考案に係る後頭部支持補助具１０（以下、単に補助具と称する）の例を以下図面に基づいて説明する。
図１に補助具１０の斜視図を示し、図２にシャンプーボール４０に取り付けた状態の補助具１０の断面図を示す。
補助具１０は、補助具をシャンプーボールの内側壁面に取り付けた状態でベース部２０からシャンプーボールの内側壁面に向けて略水平方向に突出した脚部２１ａ、２１ｂを設けてある。
２本の脚部２１ａ、２１ａは、略水平方向に配置し、１本の脚部２１ｂはそれより下部にあって３本の脚部がおおむね逆正三角形になるように配置してある。
上側の２本の左右の脚部２１ａ、２１ａには、上下方向に一対の垂直軸受け２４ａを形成して垂直軸２３ａを設けてあり、この垂直軸２３ａに略水平方向回動ｒ１自在に吸盤等の吸着部２２ａを取り付けてある。
下側の脚部２１ｂには、左右方向に水平軸受け２４ｂを形成して、水平軸２３ｂを設けてあり、この水平軸２３ｂに略垂直方向回動ｒ２自在に吸着部２２ｂを取り付けてある。
ここで、垂直軸２３ａ及び水平軸２３ｂは、吸盤等の吸着部２２ａ、２２ｂの角度をシャンプーボールの内壁形状に合わせてフィットさせる趣旨であり、本実施例に示したように垂直軸を有する脚部と水平軸を有する脚部とに分けてもよいが、それぞれの脚部に取り付けた吸着部が、例えば球軸を介して自由に角度調整可能になっていてもよい。
【００１２】
ベース部２０の上部２５は、図３に示したシャンプーボール４０の首入れ部４１の凹部形状に近似した凹部形状に成形してあり、シャンプーボールの首入れ部にベース部上部２５が干渉しないようになっていて、ベース部２０の形状がコンパクトになる。
なお、ベース部２０は射出成型等により成形することができる。
【００１３】
図２に示すように、枕支持部３２の下端部にベース連結部３４を設けて、水平軸２３ｂを兼用して上下方向回動自在に連結してあり、枕支持部３２の上端には平面状の枕台３２ａを形成して枕部３１を設けてある。
枕部３１の立設角度は、枕支持部３２とベース部２０との間に立設角度調整手段を設けてある。
この立設角度調整手段は、枕部３１が角度ｒ３調整可能になっていれば特に限定されないが、本実施例は枕支持部３２にネジ杆挿入孔３３を形成してこの挿入孔内にベース部からネジ杆２６を配設し、メネジ部を有する枕支持部の角度調整具２７の回転量で調整できるようにしてある。
これにより、図２に示すようにベース部２０から略水平方向に突出して設けた吸着部２２ａ、２２ｂでシャンプーボールの内側の立上げ壁に吸着固定し、枕支持部の角度調整具２７を回転調整することで枕部３１の位置合せが容易にできる。
また、シャンプーボール４０の底面には従来の補助具と異なり、施術に支障をきたすものが無く作業性がよい。
【図面の簡単な説明】
【００１４】
【図１】後頭部支持補助具の斜視図を示す。
【図２】シャンプーボールに取り付けた状態の後頭部支持補助具の断面図を示す。
【図３】シャンプーボールの斜視図を示す。
【符号の説明】
【００１５】
１０      後頭部支持補助具
２０      ベース部
２１ａ、２１ｂ    脚部
２２ａ、２２ｂ    吸着部
２３ａ    垂直軸
２３ｂ    水平軸
２４ａ    垂直軸受け
２４ｂ    水平軸受け
２５      ベース上部
２６      ネジ杆
２７      枕支持部の角度調整具
３１      枕部
３２      枕支持部
３２ａ    枕台
３２ｂ    脚部
３３      ネジ杆挿入孔
ｒ１      略水平方向回動
ｒ２      略垂直方向回動
ｒ３      枕部角度
【図１】
0003120306.tif 000003
【図２】
0003120306.tif 000004
【図３】
0003120306.tif 000005